(57)【特許請求の範囲】
【請求項１】
ワイヤパートの出口部において、湿紙を搬送するワイヤ上方に設置され、該ワイヤ上の湿紙の幅方向縁部の一方に流体を高圧で噴射して該湿紙をトリミングする、耳切りノズルをそなえた抄紙機であって、
該耳切りノズルに、該流体を噴射する噴射孔が、該噴射孔による該湿紙に対する流体噴射領域が湿紙幅方向に対し重なり合うように設定された間隔で、該幅方向に対し間隔をあけて複数そなえられ、
該複数の噴射孔からの流体の噴射により協働して該湿紙を切断する
ことを特徴とする、抄紙機。
【請求項２】
上記耳切りノズルに、上記湿紙幅方向に対し間隔をあけてそなえられた上記複数の噴射孔が、該湿紙の進行方向に対し複数段そなえられた
ことを特徴とする、請求項１記載の抄紙機。
【請求項３】
抄紙機のワイヤパートの出口部において、湿紙を搬送するワイヤ上の湿紙の幅方向縁部のそれぞれに流体を高圧で噴射して該湿紙をトリミングする、抄紙機の耳切り方法であって、
該流体の噴射を、該幅方向縁部のそれぞれに対し、湿紙に対する流体噴射領域が湿紙幅方向に対し重なり合うように設定した間隔で、該幅方向に対し間隔をあけた複数点で行ない、
該複数点での流体の噴射により協働して該湿紙を切断する
ことを特徴とする、抄紙機の耳切り方法。
【請求項４】
上記の該幅方向に対し間隔をあけて行なわれる複数点での噴射が、該湿紙の進行方向に対し複数段で行なわれる
ことを特徴とする、請求項３記載の抄紙機の耳切り方法。
【発明の詳細な説明】
【０００１】
【発明の属する技術分野】
本発明は、抄紙機のワイヤパートの出口部においてワイヤ上の湿紙に流体を高圧で噴射してこの湿紙をその進行方向に沿って断裁する、抄紙機の耳切りノズル及び抄紙機の耳切り方法に関する。
【０００２】
【従来の技術】
一般に抄紙機は、走行する抄網（ワイヤ）上で紙層を形成するワイヤパート、湿紙から水分を除去するプレスパート及びドライヤパートの各部分から構成され、紙は順次これらの一連の工程を経ることにより抄造される。
図５に示すように、ワイヤパートＡにおいて形成された湿紙２は、次段のプレスパートＢに搬送される直前において予め設定された所定の紙幅となるように、耳切りノズル１１０により、湿紙２の幅方向両端部（トリム片）が切断される。
【０００３】
耳切りノズル１１０は、ワイヤ１の上方において湿紙２の幅方向両端にそれぞれ配設されており、下方にむけて水を噴射する。この噴射水により、ワイヤ１上の湿紙２の幅方向両端が上述したように切断される。
この切断の際、湿紙２を確実に切断にすべく、高圧水の噴射が湿紙２の両端側においてそれぞれ重ねて行なわれることがある。つまり、図６に示すように、湿紙２の同じ幅方向位置に対し異なる二個所において高圧水を噴射させるのである。図６中において「◎」が高圧水の噴射位置を示す。
【０００４】
このように高圧水の噴射を重ねて行なう技術としては、例えば、１つの噴射孔を有する耳切りノズルを、湿紙の幅方向両側にそれぞれ湿紙進行方向Ｘにずらして２つ設置したり、或いは、（株）共立合金製作所のカタログ（CAT.No.9501A-200107，p.2）に開示された図７に示すような２つの噴射孔２１１，２１２を有する耳切りノズル２１０を、上記噴射孔２１１，２１２か湿紙進行方向Ｘに並ぶようにして湿紙の幅方向両側にそれぞれ一個づつ配設したりする方法がある。
【０００５】
【発明が解決しようとする課題】
しかしながら、上述した従来技術では、抄網（ワイヤ）を痛めず噴射水の圧力をたたせて湿紙の切断に十分高い圧力とするために噴射孔の径が０．３ｍｍ〜２ｍｍ程度と小さく切断幅ｗ（図６参照）も微小となるため、切断後、後段のプレスパートに送られる湿紙２とトリム片２ａとが接触して軽く接着することがあり、トリミングが不安定だった。
【０００６】
この結果、ブレスパートへ送られる湿紙がサクションピックアップロール４により吸引される際に、湿紙２の縁部がこのトリム片２ａに連れられるようにして下方に折れ曲がってしまうことがあり、この折れ曲がりが極端な場合には、後段のプレスパートのフェルトベルト上での湿紙の体勢が不安定となってその後の脱水に支障をきたすことがあった。
【０００７】
本発明はこのような課題に鑑み創案されたもので、湿紙のトリミングを安定して行なえるようにした、抄紙機の耳切りノズルを提供することを目的とする。
【０００８】
【課題を解決するための手段】
上記目的を達成するために、本発明の請求項１記載の抄紙機は、ワイヤパートの出口部において、湿紙を搬送するワイヤ上方に設置され、該ワイヤ上の湿紙の幅方向縁部の一方に流体を高圧で噴射して該湿紙をトリミングする、耳切りノズルをそなえた抄紙機であって、該耳切りノズルに、該流体を噴射する噴射孔が、該噴射孔による該湿紙に対する流体噴射領域が湿紙幅方向に対し重なり合うように設定された間隔で、該幅方向に対し間隔をあけて複数そなえられ、該複数の噴射孔からの流体の噴射により協働して該湿紙を切断することを特徴としている。
【０００９】
この場合、上記耳切りノズルに、上記湿紙幅方向に対し間隔をあけてそなえられた上記複数の噴射孔が、該湿紙の進行方向に対し複数段そなえられていることが好ましい（請求項２）。
本発明の請求項３記載の抄紙機の耳切り方法は、抄紙機のワイヤパートの出口部において、湿紙を搬送するワイヤ上の湿紙の幅方向縁部のそれぞれに流体を高圧で噴射して該湿紙をトリミングする、抄紙機の耳切り方法であって、該流体の噴射を、該幅方向縁部のそれぞれに対し、湿紙に対する流体噴射領域が湿紙幅方向に対し重なり合うように設定した間隔で、該幅方向に対し間隔をあけた複数点で行ない、該複数点での流体の噴射により協働して該湿紙を切断することを特徴としている。
【００１０】
この場合、上記の幅方向に対し間隔をあけて行なわれる複数点での噴射が、該湿紙の進行方向に対し複数段で行なわれることが好ましい（請求項４）。
【００１１】
【発明の実施形態】
以下、図面を参照しながら本発明の実施の形態について説明する。
（１）第１実施形態
本発明の第１実施形態としての耳切りノズルは、図５において、上述した従来技術の耳切りノズル１１０の代わりに使用されるものである。つまり、本耳切りノズルは、ワイヤパートＡの出口部（湿紙２のワイヤパートＡからプレスパートＢへの受け渡し部）に配設されて、ワイヤ１上の湿紙２に対し噴射水（高圧の流体）を噴射して、この湿紙２を所定の紙幅に断裁するものである。また、耳切りノズルは、ワイヤ１の上方においてこのワイヤ１上の湿紙２の幅方向両端近辺にそれぞれ一個づつ配設されており、湿紙２の上記幅方向両端を切断して上述したように湿紙２を所定の紙幅とするようになっている。
【００１２】
以下、本耳切りノズルの構成を図１及び図２（ａ），（ｂ）を参照して説明する。
図１及び図２は本発明の第１実施形態としての抄紙機の耳切りノズルについて示す図であり、図１はその構成を示す模式的な矢視図、図２（ａ）はその模式的な側面図、図２（ｂ）はその模式的な下面図である。
【００１３】
耳切りノズル１０の先端（ワイヤ１上の湿紙２に向けられる端部）には、直径０．３ｍｍ〜１ｍｍ程度の略円形の断面を有する４つの噴射孔１１ａ〜１１ｄが四辺形の頂点をなすように配置されている。耳切りノズル１０は、これらの噴射孔１１ａ〜１１ｄをワイヤ１上の湿紙２に向けて高圧水の供給配管２０の先端に取り付けられており、この供給配管２０からの高圧水は、耳切りノズル１０内部の図示しない通路を介して上記噴射孔１１ａ〜１１ｄに供給され、これらの噴射孔１１ａ〜１１ｄから湿紙２に向けて略鉛直にそれぞれ噴射されるようになっている。
【００１４】
噴射孔１１ａ，１１ｂは、ワイヤ１上の湿紙２の幅方向Ｙに対して所定の間隔ｄ0をあけて配置され、同様に、噴射孔１１ｃ，１１ｄは、湿紙幅方向Ｙに対し所定の間隔ｄ0をあけて配置されている。また、各噴射孔１１ｃ，１１ｄは、噴射孔１１ａ，１１ｂに対し、湿紙幅方向Ｙに対しては同位置に配置され、湿紙進行方向に対してはそれぞれ所定の間隔ｅ1，ｅ2をあけて配置されている。つまり、湿紙幅方向Ｙに対し所定の間隔をあけて配置された複数（ここでは二個）の噴射孔が、湿紙進行方向Ｘに対し複数段（ここでは二段）設けられているのである。なお、上記間隔ｄ0，ｅ1，ｅ2とは、上記噴射孔の中心間距離である。
【００１５】
また、ここでは、噴射孔１１ａ，１１ｂは湿紙走行方向Ｘに対してずらして配置され、同様に、噴射孔１１ｃ，１１ｄは湿紙走行方向Ｘに対してずらして配置されている。
上記所定の間隔ｄ0は、例えば１ｍｍ〜２ｍｍであり、好ましくは０．３ｍｍ〜０．５ｍｍである。また、上記の所定の間隔ｅ1，ｅ2は、例えば５ｍｍ程度であり、相互に同じであっても良いし、異なっていても良い。
【００１６】
図２（ａ）に示すように、このように湿紙幅方向Ｙに対し僅かな距離をあけて並べられた噴射孔１１ａ，１１ｂ（又は噴射孔１１ｃ，１１ｄ）から高圧水は僅かながら広がりをもって噴射されるので、上記高圧水の湿紙２に対する噴射領域Ｒａ，Ｒｂ（又は噴射領域Ｒｃ，Ｒｄ）は湿紙幅方向に対し重なり合うようになり、この結果、湿紙２の幅方向に対し比較的広い幅（切断幅）ｗで湿紙２を切断できるようになる。
【００１７】
本発明の第１実施形態としての耳切りノズル１０は、このように比較的広い幅ｗで湿紙２を切断できるので、湿紙２から切り離されたトリム片２ａが上記湿紙２の縁部に接触して接着してしまうようなことが未然に防止され、湿紙２のトリミングを安定して行なえるようになる。
（２）第２実施形態
図３は本発明の第２実施形態としての抄紙機の耳切り方法を説明するための図であって耳切りノズルを下方から見た模式図である。なお、上述した第１実施形態で説明したものについては同一の符号を付しその説明を省略する。
【００１８】
第１実施形態では１つの耳切りノズルに、湿紙幅方向Ｙに対し所定の間隔を空けて噴射孔１１ａ，１１ｂ及び噴射孔１１ｂ，１１ｃをそれぞれ配置した例を示したが、本実施形態では、図７に示すような２つの噴射孔を有する耳切りノズル２１０を、図３に示すように、噴射孔２１１，２１２が湿紙幅方向Ｙに対し所定の間隔ｄ0をあけて並ぶ姿勢で、湿紙２のパスライン上方に取り付け、且つ、このような姿勢の耳切りノズル２１０を、湿紙２の両縁部に対しそれぞれ進行方向Ｘに沿って複数（ここでは２つ）並べるのである。
【００１９】
本発明の第２実施形態としての抄紙機の耳切りノズルによれば、上述した第１実施形態と同様に比較的広い幅ｗで湿紙２を断裁できる。
（３）その他
以上、本発明の実施形態を説明したが、本発明は上述の実施形態に限定されず、本発明の趣旨を逸脱しない範囲で種々変形して実施することができる。
【００２０】
例えば、上記各実施形態では、噴射領域Ｒａ，Ｒｂ（第１実施形態では噴射孔１１ａ，１１ｂ）を湿紙進行方向Ｘに異なる位置とし、同様に、噴射領域Ｒｃ，Ｒｄ（第１実施形態では噴射孔１１ｃ，１１ｄ）を湿紙進行方向Ｘに対し異なる位置としたが、下面図４に示すように、噴射領域Ｒａ，Ｒｂ（噴射孔１１ａ，１１ｂ）を湿紙進行方向Ｘに対し同じ位置とし、同様に、噴射領域Ｒｃ，Ｒｄ（噴射孔１１ｃ，１１ｄ）を湿紙進行方向Ｘに対し同じ位置としても良い。
【００２１】
また、上記第１実施形態では、耳切りノズルの噴射孔を、湿紙幅方向Ｙに対し二個並べ、これを湿紙走行方向Ｘに対し二段設けた例を示したが、湿紙幅方向Ｙに並べる個数は複数であれば良く（つまり三個以上でも良く）、また、湿紙進行方向に対する段数は、三段以上の複数段は勿論、一段でも良い。但し、湿紙進行方向Ｘに対し複数段設けて湿紙の幅方向同位置に対し切断を重ねることが、切断を安定させる上で好ましい。
【００２２】
同様に、上記第２実施形態では、高圧水の噴射を、湿紙幅方向に対し異なる二個所で行なうとともに、このような二個所での噴射を湿紙進行方向に対し二段で行なう例を示したが、湿紙幅方向に対し異なる位置で行なう噴射は複数位置で行なわれれば良く（つまり三個所以上で行なっても良く）、また、湿紙進行方向に対して行なわれる噴射の段数は三段以上の複数段は勿論、一段でもよい。
【００２３】
【発明の効果】
以上詳述したように、本発明によれば、湿紙を切断するための流体の噴射が、湿紙に対する流体噴射領域が湿紙幅方向に対し重なり合うように設定した間隔で、湿紙の幅方向に対し間隔をあけた複数点で行なわれ、これらの複数点での流体の噴射により協働して比較的広い切断幅で湿紙が切断されるようになるので、湿紙とこの湿紙から切り離されたトリム片との接触が抑制され、湿紙のトリミングを安定して行なえるようになる。
【図面の簡単な説明】
【図１】本発明の第１実施形態としての抄紙機の耳切りノズルの構成を示す模式的な矢視図である。
【図２】本発明の第１実施形態としての抄紙機の耳切りノズルの構成を示す図であって、（ａ）はその模式的な側面図、（ｂ）はその模式的な下面図である。
【図３】本発明の第２実施形態としての抄紙機の耳切り方法を説明するための図であって耳切りノズルを下方から見た模式図である。
【図４】本発明の抄紙機の耳切りノズル及び耳切り方法の他の実施形態を説明するための図であって耳切りノズルの模式的な下面図である。
【図５】従来の抄紙機の耳切りノズルの構成を示す模式的な側面図である。
【図６】従来の抄紙機の耳切り方法を説明するための模式的な平面図である。
【図７】従来の抄紙機の耳切りノズルの構成を示す模式的な矢視図である。
【符号の説明】
１  ワイヤ
２  湿紙
２ｂ  トリム片
１０，２１０  耳切りノズル
１１ａ〜１１ｄ  噴射孔
２０  高圧水の供給配管
ｄ1 噴射孔の湿紙幅方向に対する間隔
Ｒａ〜Ｒｄ  噴射領域
ｗ  切断幅
【図１】
0003692343.tif 000002
【図２】
0003692343.tif 000003
【図３】
0003692343.tif 000004
【図４】
0003692343.tif 000005
【図５】
0003692343.tif 000006
【図６】
0003692343.tif 000007
【図７】
0003692343.tif 000008